(57)【要約】【課題】  先締り扉の閉扉前における後締り扉の閉扉を阻止すると共に先締り扉の閉扉後における後締り扉の閉扉を許容するようにした扉閉鎖順序制御装置を提供する。【解決手段】  後締り扉１の回動域内への進出及び該回動域からの後退可能に遥動し得る突支いアーム１２を用いる扉閉鎖順序制御装置において、（ａ）後締り扉１に設けられ、突支いアーム１２を突支い状態と待機状態との間で変動可能に枢着してなるアーム手段１１と、（ｂ）後締り扉１に設けられ、後締り扉１の閉扉前は突支いアーム１２を待機状態に保持し、後締り扉１の閉扉時はその閉扉に係る出力により突支いアーム１２を突支い状態に変動させる第一制御手段２１と、（ｃ）後締り扉１の閉扉時に突支い状態に配置された突支いアーム１２を先締り扉２の閉扉前は上枠７上に停止させ、先締り扉２の閉扉時はその閉扉に係る出力により突支いアーム１２を上枠７から解放する第二制御手段３１とを設ける。【選択図】      図４
2005155068.tif 000002
【特許請求の範囲】
【請求項１】
両側の扉を閉扉して通路を閉鎖するに際して、先締り扉の閉扉前は突支いアームを後締り扉の回動域内に進出させて突支い状態に配置すると共に先締り扉の閉扉に先立つ後締り扉の閉扉を阻止し、先締り扉の閉扉時は突支い状態にある突支いアームを前記回動域から後退させて待機状態に配置すると共に先締り扉の閉扉に続く後締り扉の閉扉を許容するようにした扉閉鎖順序制御装置において、
（ａ）後締り扉に設けられ、突支いアームを後締り扉の回動域内に進出した突支い状態と該回動域から後退した待機状態との間で遥動的に変動可能に基部において枢着してなるアーム手段と、
（ｂ）後締り扉に設けられ、後締り扉の閉扉前は突支いアームを待機状態に保持する一方、後締り扉の閉扉時はその閉扉に係る出力に基づいて突支いアームを突支い状態に変動させる第一制御手段と、
（ｃ）後締り扉の閉扉時に第一制御手段により突支い状態に配置された突支いアームを先締り扉の閉扉前は待機状態への変動不能に通路側の構造体上に停止させる一方、先締り扉の閉扉時はその閉扉に係る出力に基づいて突支いアームを待機状態への変動可能に通路側の構造体から解放すると共にそれによって先締り扉の閉扉に続く後締り扉の閉扉を可能にする第二制御手段とを有することを特徴とする扉閉鎖順序制御装置。
【請求項２】
請求項１に記載の扉閉鎖順序制御装置において、第一制御手段が、突支いアームを突支い状態の方向に常時付勢するアーム付勢部材と、待機状態に配置された突支いアームをそれと係合して突支い状態への変動不能に停止させる係合位置と前記突支いアームをそれとの係合を解除して突支い状態への変動可能に解放する解除位置との間で変動可能に設けられたアーム係合部材と、後締り扉の閉扉に係る出力を受ける受容部材と、前記受容部材への出力により作動すると共にアーム係合部材を解除位置に配置させる操作部材とからなり、
後締り扉の閉扉前はアーム係合部材を係合位置に配置して突支いアームに係合させると共に突支いアームをアーム付勢部材の付勢力に抗して待機状態に保持する一方、後締り扉の閉扉時はその閉扉に係る出力によりアーム係合部材を解除位置に配置して突支いアームから脱着させると共に該突支いアームをアーム付勢部材の付勢力によって突支い状態に変動させるようにした扉閉鎖順序制御装置。
【請求項３】
請求項１又は２に記載の扉閉鎖順序制御装置において、第二制御手段が、突支い状態に配置されると共に後締り扉の閉扉運動により押圧されて待機状態の方向に変動可能に通路側の構造体上に当接させられた突支いアームをその端部と係合して待機状態への変動不能に停止させる係合位置と前記突支いアームをその端部との係合を解除して待機状態への変動可能に解放する解除位置との間で変動可能に通路側の構造体に設けられたストッパと、前記ストッパを係合位置の方向に常時付勢するストッパ付勢部材と、先締り扉の閉扉に係る出力を受ける受容部材と、前記受容部材への出力により作動すると共にストッパをストッパ付勢部材の付勢力に抗して解除位置に配置させる操作部材とからなり、
先締り扉の閉扉前はストッパをストッパ付勢部材の付勢力によって係合位置に保持すると共に突支いアームを待機状態への変動不能にストッパに係合させる一方、先締り扉の閉扉時はその閉扉に係る出力によりストッパをストッパ付勢部材の付勢力に抗して解除位置に変動させると共に待機状態への突支いアームの変動を許容するようにした扉閉鎖順序制御装置。
【請求項４】
請求項１〜３の何れかに記載の扉閉鎖順序制御装置において、後締り扉が、複数の扉を互いに蝶着してなる折り戸の最終扉を構成する扉閉鎖順序制御装置。
【発明の詳細な説明】
【技術分野】
【０００１】
本発明は、火災発生時等に両側の扉を閉扉して通路を閉鎖するに際して、先締り扉の閉扉前における後締り扉の閉扉を阻止すると共に先締り扉の閉扉後における後締り扉の閉扉を許容するようにした扉閉鎖順序制御装置に関する。
【背景技術】
【０００２】
前記扉閉鎖順序制御装置として、実開平５７−１２０６６９号、実用新案登録第２５７２６５０号、特許第２９０７７８６号、特許第３１０７７８２号等の公報に開示されるように、両側の扉を閉扉して通路を閉鎖するに際して、先締り扉の閉扉前は突支いアームを後締り扉の回動域内に進出させて突支い状態に配置すると共に先締り扉の閉扉に先立つ後締り扉の閉扉を阻止し、先締り扉の閉扉時は突支い状態にある突支いアームを前記回動域から後退させて待機状態に配置すると共に先締り扉の閉扉に続く後締り扉の閉扉を許容するようにしたものが従来広く知られている。特に実開平５７−１２０６６９号公報に記載の装置には、通常は突支いアームを後締り扉の回動域から後退させて待機状態に保持すると共にそれによって子供等のいたずらによる該突支いアームの湾曲や損傷の事故を防止し、火災発生の信号が出力された非常時にのみ該突支いアームを後締り扉の回動域内に進出させて突支い状態に配置するようにした電磁装置が設けられている。
【０００３】
しかしながら、前記従来技術に係る扉閉鎖順序制御装置では、突支いアームを枢着してなるアーム手段並びに該突支いアームの進出及び後退を制御するための制御手段を含む装置本体が通路側の上枠や天井等に設けられることから、建物や扉開閉装置の設計に際して前記装置本体を設置するための広いスペースを通路側の構造体に確保する必要があり、従って既設の建物や扉開閉装置の形状、構造によっては前記扉閉鎖順序制御装置を後付けで設置することに困難性があった。
【０００４】
また、前記従来技術に係る扉閉鎖順序制御装置では、後締り扉がその回動域内に進出した突支いアームによりその閉扉を阻止された状態において先締り扉が後締り扉の閉扉に先行して閉扉される時に、該先締り扉が、突支い状態にある前記突支いアームを前記回動域から後退させる方向に押圧しつつ後締り扉の閉鎖に先行して閉鎖されるので、前記押圧に際して突支いアーム及び先締り扉がそれらの当接部において損傷を受ける等の問題があった。
【特許文献１】実開平５７−１２０６６９号公報
【特許文献２】実用新案登録第２５７２６５０号公報
【特許文献３】特許第２９０７７８６号公報
【特許文献４】特許第３１０７７８２号公報
【発明の開示】
【発明が解決しようとする課題】
【０００５】
本発明の第一の課題は、火災発生時等に両側の扉を閉扉して通路を閉鎖する場合にのみ突支いアームが突支い状態に配置され、また設置に際して通路側の構造体に広いスペースを確保する必要がなく、従って既設の建物や扉開閉装置にも容易に設置し得る扉閉鎖順序制御装置を提供することにある。
【０００６】
また、本発明の第二の課題は、後締り扉がその回動域内に進出された突支いアームによりその閉扉を阻止された状態において先締り扉が後締り扉の閉扉に先行して閉扉される時に、突支いアーム及び先締り扉に損傷を生じない扉閉鎖順序制御装置を提供することにある。
【課題を解決するための手段】
【０００７】
請求項１に記載の発明に係る扉閉鎖順序制御装置は、
両側の扉を閉扉して通路を閉鎖するに際して、先締り扉の閉扉前は突支いアームを後締り扉の回動域内に進出させると共に先締り扉の閉扉に先立つ後締り扉の閉扉を阻止し、先締り扉の閉扉時は進出した突支いアームを前記回動域から後退させると共に先締り扉の閉扉に続く後締り扉の閉扉を許容するようにした扉閉鎖順序制御装置において、
（ａ）後締り扉に設けられ、突支いアームを後締り扉の回動域内に進出した突支い状態と該回動域から後退した待機状態との間で遥動的に変動可能に基部において枢着してなるアーム手段と、
（ｂ）後締り扉に設けられ、後締り扉の閉扉前は突支いアームを待機状態に保持する一方、後締り扉の閉扉時はその閉扉に係る出力に基づいて突支いアームを突支い状態に変動させる第一制御手段と、
（ｃ）後締り扉の閉扉時に第一制御手段により突支い状態に配置された突支いアームを先締り扉の閉扉前は待機状態への変動不能に通路側の構造体上に停止させる一方、先締り扉の閉扉時はその閉扉に係る出力に基づいて突支いアームを待機状態への変動可能に通路側の構造体から解放すると共にそれによって先締り扉の閉扉に続く後締り扉の閉扉を可能にする第二制御手段とを有することを特徴としている。
【０００８】
前記遥動構造を有する突支いアームの先端には、その遥動方向に転動可能な球やローラ等の転動体が設けることが好ましく、それによって先締り扉の閉扉に続く後締り扉の閉扉に際して、突支いアームが、その先端の転動体を通路側の構造体上に転動させつつ突支い状態から待機状態へと円滑に遥動変動させられる。
【０００９】
前記第一制御手段における後締り扉の閉扉に係る出力として、例えば、該後締り扉の閉扉運動により生じる駆動力が使用される。前記駆動力は、例えば、後締り扉の閉扉運動に伴ってそれに相対的に接近する通路側の構造体や展開済みの直前の折り戸構成扉等から受ける反力であってもよい。なお、後締り扉の閉扉に係る出力としては、前記のような駆動力以外に、前記閉扉に伴って或いは該閉扉に起因して生じる種々の形態の出力を採用することが可能である。
【００１０】
また、前記第二制御手段における先締り扉の閉扉に係る出力として、該先締り扉の閉扉運動により生じる駆動力が使用される。なお、先締り扉の閉扉に係る出力としては、前記のような駆動力以外に、前記閉扉に伴って或いは該閉扉に起因して生じる種々の形態の出力を採用することが可能である。
【００１１】
前記構成においては、突支いアームを支持してなるアーム手段及び該突支いアームの配置を制御する第一制御手段が何れも後締り扉、好ましくはその上部に設けられるので、設置に際して通路側の構造体、例えば通路側の上枠や天井等に広いスペースを確保する必要がなく、従って既設の建物や扉開閉装置にも後付けで容易に設置することができる。また、前記アーム手段における突支いアームは、第一制御手段により、通常は待機状態に保持され、火災発生時等に両側の扉を閉扉して通路を閉鎖する場合にのみ突支いアームが後締り扉の回動域内に進出して突支い状態に配置される。従って、請求項１に係る前記発明によれば、少なくとも前記第一の課題が解決されることになる。
【００１２】
請求項２に記載の発明に係る扉閉鎖順序制御装置では、前記第一制御手段が、突支いアームを突支い状態の方向に常時付勢するアーム付勢部材と、待機状態に配置された突支いアームをそれと係合して突支い状態への変動不能に停止させる係合位置と前記突支いアームをそれとの係合を解除して突支い状態への変動可能に解放する解除位置との間で変動可能に設けられたアーム係合部材と、後締り扉の閉扉に係る出力を受ける受容部材と、前記受容部材への出力により作動すると共にアーム係合部材を解除位置に配置させる操作部材とからなり、
後締り扉の閉扉前はアーム係合部材を係合位置に配置して突支いアームに係合させると共に突支いアームをアーム付勢部材の付勢力に抗して待機状態に保持する一方、後締り扉の閉扉時はその閉扉に係る出力によりアーム係合部材を解除位置に配置して突支いアームから脱着させると共に該突支いアームをアーム付勢部材の付勢力によって突支い状態に変動させるようにしてなるものが使用される。
なお、前記突支いアームに対するアーム係合部材の係合及び係合解除の構造に特別の限定はなく、また前記操作部材の構造についても特別の限定はない。
【００１３】
請求項３に記載の扉閉鎖順序制御装置では、前記第二制御手段が、突支い状態に配置されると共に後締り扉の閉扉運動により押圧されて待機状態の方向に変動可能に通路側の構造体上に当接させられた突支いアームをその端部と係合して待機状態への変動不能に停止させる係合位置と前記突支いアームをその端部との係合を解除して待機状態への変動可能に解放する解除位置との間で変動可能に通路側の構造体に設けられたストッパと、前記ストッパを係合位置の方向に常時付勢するストッパ付勢部材と、先締り扉の閉扉に係る出力を受ける受容部材と、前記受容部材への出力により作動すると共にストッパをストッパ付勢部材の付勢力に抗して解除位置に配置させる操作部材とからなり、
先締り扉の閉扉前はストッパをストッパ付勢部材の付勢力によって係合位置に保持すると共に突支いアームを待機状態への変動不能にストッパに係合させる一方、先締り扉の閉扉時はその閉扉に係る出力によりストッパをストッパ付勢部材の付勢力に抗して解除位置に変動させると共に待機状態への突支いアームの変動を許容するようにしている。
なお、前記突支いアームの端部に対するストッパの係合及び係合解除の構造に特別の限定はなく、また前記操作部材の構造についても特別の限定はない。
【００１４】
前記構成における第二制御手段では、後締り扉がその回動域内に進出した突支いアームによりその閉扉を阻止された状態において先締り扉が後締り扉の閉扉に先行して閉扉される時に、従来技術のように、突支い状態にある前記突支いアームが閉扉運動中の先締り扉により直接押圧されることがなく、通路側の構造体上にストッパとの係合により停止されていた突支いアームは先締り扉の閉扉に係る出力に基づいて該構造体から係合を解除されて解放され、それによって先締り扉の閉扉に続く後締り扉の閉扉が可能になる。従って、前記発明によれば、前記第一の課題のみならず第二の課題もまた解決されることになる。
【００１５】
なお、請求項３に記載の第二制御手段の代わる別態様の第二制御手段として、例えば、突支い状態に配置されると共に待機状態の方向への側方の外力と後締り扉の閉扉運動により押圧されて待機状態の方向に変動可能に通路側の構造体上に停止させられた突支いアームを先締り扉の回動域と交差させるように配置してなり、後締り扉の閉扉時に第一制御手段により突支い状態に配置された突支いアームを、先締り扉の閉扉前は待機状態への変動不能に通路側の構造体上に停止させる一方、先締り扉の閉扉時は該先締り扉により待機状態の方向に押圧して待機状態への突支いアームの変動を許容するように構成することも可能である。
【００１６】
前記構成の場合、後締り扉が突支い状態に配置された突支いアームによりその閉扉を阻止された状態において先締り扉が後締り扉の閉扉に先行して閉扉される時に、従来技術と同様に、閉扉運動中の先締り扉が、突支い状態にある前記突支いアームを待機状態の方向に押圧しつつ後締り扉の閉鎖に先行して閉鎖されることになる。従って、前記発明によれば、前記第一の課題が解決されることになる。
【００１７】
請求項４に記載の扉閉鎖順序制御装置では、後締り扉として、複数の扉を互いに蝶着してなる折り戸の最終扉を構成するものが使用される。なお、先締り扉についても、複数の扉を互いに蝶着してなる折り戸の最終扉を構成するものが使用されてもよい。
【発明の効果】
【００１８】
請求項１〜４に係る発明によれば、少なくとも、火災発生時等に両側の扉を閉扉して通路を閉鎖する場合にのみ突支いアームが突支い状態に配置され、また設置に際して通路側の構造体に広いスペースを確保する必要がなく、従って既設の建物や扉開閉装置にも後付けで容易に設置し得る扉閉鎖順序制御装置を提供ことができる。特に、請求項３に係る発明及びそれに従属する発明によれば、前記効果に加えてさらに、後締り扉がその回動域内に進出された突支いアームによりその閉扉を阻止された状態において先締り扉が後締り扉の閉扉に先行して閉扉される時に、突支いアーム及び先締り扉に損傷を生じない扉閉鎖順序制御装置を提供することができる。
【発明を実施するための最良の形態】
【００１９】
以下、本発明を実施例に基づいて具体的に説明する。
図１は、本発明の実施例に係る扉閉鎖順序制御装置において、後締り扉の閉鎖時にアーム手段に枢着された突支いアームを第一制御手段により待機状態から突支い状態に変動させる直前の要部平面図、図２は、図１に示す状態にある扉閉鎖順序制御装置において、突支いアームを第一制御手段により待機状態から突支い状態に変動させた直後の要部平面図、図３は、図２に示す状態にある扉閉鎖順序制御装置において、後締り扉の閉鎖に伴って突支いアームを第二制御手段により通路側の構造体上に停止させた時の要部平面図、図４は、図３に示す状態にある扉閉鎖順序制御装置において、先締り扉の閉鎖に伴って突支いアームを第二制御手段により通路側の構造体から解放する直前の要部平面図、図５は、図４に示す状態にある扉閉鎖順序制御装置において、先締り扉の閉鎖に伴って突支いアームを第二制御手段により通路側の構造体から解放した直後の要部平面図、図６は、図５に示す状態にある扉閉鎖順序制御装置において、先締り扉の閉鎖に続いて後締り扉を閉扉すると共にそれによって突支いアームを突支い状態から待機状態に変動させた時の要部平面図である。なお、図１〜６における前記全ての平面図において、アーム手段及び第一制御手段の作用をより理解し易くするために後締り扉を常時水平に配向させて示している。
【００２０】
同図において、通路の両側に該通路を両側から閉鎖可能に後締り扉１と先締り扉２が各々蝶着され、前記後締り扉１は、２体の扉を互いに蝶着してなる折り戸の最終扉を構成し、折り戸の親扉３に折り戸ヒンジ４を介して回動可能に蝶着されている。また、前記後締り扉１側端と対向する親扉３側端には、後締り扉１の閉扉に伴って該後締り扉１側端の方向に移動接近する出力用押圧体５が突設されている。
【００２１】
後締り扉１の上端縁には、ケース６を介して扉幅方向にアーム手段１１と第一制御手段２１とが設けられ、通路側の構造体である上枠７にはケース８を介して第二制御手段３１が設けられている。
【００２２】
前記アーム手段１１は、突支いアーム１２が、後締り扉１の回動域内に実質的に水平に進出した突支い状態と該回動域からアーム手段１１内に後退した待機状態との間で遥動的に変動可能に、基部において遥動軸１３を介して後締り扉１上のケース６に枢着されてなり、該突支いアーム１２の先端にはその遥動方向に転動可能なローラからなる転動体１４が回転軸１５を介して枢着されている。
【００２３】
前記第一制御手段２１は、遥動軸１３上に設けられると共に突支いアーム１２を突支い状態の方向に常時付勢するコイルばねからなるアーム付勢部材２２と、待機状態に配置された突支いアーム１２の転動体１４と係合する係合位置と該転動体１４との係合を解除する解除位置との間で扉幅方向に移動可能に後締り扉１上のケース６内に設けられた先細り形状のアーム係合部材２３と、前記押圧体５と近接対向して扉幅方向に移動可能にケース６内に設けられたロッド状の受容部材２４と、前記押圧体５による受容部材２４への押圧力により作動してアーム係合部材２３を解除位置に配置させる操作部材２５とからなり、前記操作部材２５は、遥動軸２６を介して水平方向に遥動可能にケース６に枢着されると共に一端を前記受容部材と係合されたリンクレバー２７と、一端をリンクレバー２７の他端に連結軸２８を介して枢着されると共に他端をアーム係合部材２３と接続された連結部材２９とから構成されている。
【００２４】
前記第二制御手段３１は、突支い状態に配置されされた突支いアーム１２の転動体１４と係合する係合位置と該転動体１４との係合を解除する解除位置との間で略垂直方向に出入移動可能に上枠７上のケース８に設けられた板状のストッパ３２と、先締り扉２の回動域内で略垂直方向に出入移動可能にケース８に設けられると共に閉鎖運動中の先締り扉２により押圧されるピン状の受容部材３３と、前記受容部材３３への押圧力により作動してストッパ３２を解除位置に配置させる操作部材３４と、前記受容部材３３の下部に設けられると共に操作部材３４を介してストッパ３２を係合位置の方向に常時付勢するコイルばねからなるストッパ付勢部材３５とからなり、前記操作部材３４は、ケース８に遥動軸３６を介して水平方向に遥動可能に枢着されると共に一端を前記受容部材３３と連結軸３７を介して係合された第一リンクレバー３８と、ケース８に遥動軸３９を介して水平方向に遥動可能に枢着され、一端を第一リンクレバー３８の他端と連結軸４０を介して枢着されると共に他端をストッパ３２と接続された第二リンクレバー４１とから構成されている。
【００２５】
前記構成の扉閉鎖順序制御装置において、後締り扉１が所定限界角度まで閉扉される前は、図１に示すように、押圧体５により受容部材２４が押圧されることがなく、アーム係合部材２３は係合位置に配置されて突支いアーム１２に係合させられ、それにより突支いアーム１２はアーム付勢部材２２の付勢力に抗して待機状態に保持される。
【００２６】
前記状態において、後締り扉１が所定限界角度を越えて閉扉された時は、図２に示すように、押圧体５により受容部材２４が押し込まれてリンクレバー２７が回転させられと共に、連結部材２９を介してアーム係合部材２３が係合位置から引き戻されて解除位置に配置され、それによってアーム係合部材２３が突支いアーム１２から脱着させられると共に該突支いアーム１２がアーム付勢部材２２の付勢力によって突支い状態に変動させられる。
【００２７】
前記状態において、後締り扉１がさらに閉扉された時、図３に示すように、突支い状態にある突支いアーム１２が待機状態への変動不能に、係合位置にあるストッパ３２に係合させられると共にそれ以上の後締り扉１の閉鎖が阻止される。
【００２８】
前記状態において、先締り扉２が閉扉されると、図４〜５に順次示すように、該先締り扉２により受容部材３３がストッパ付勢部材３５の付勢力に抗して押し込まれて第一リンクレバー３８及び第二リンクレバー４１が互いに逆方向に遥動させられると共にストッパ３２が上枠７から没入させられて解除位置に変動させられ、それによって待機状態への突支いアーム１２の変動が許容されるようになる。
【００２９】
前記状態において、図６に示すように、先締り扉２の閉扉に続いて後締り扉１が完全に閉扉され、該後締り扉１の閉扉に伴って突支いアーム１２も待機状態に変動させられる。なお、図６に示す通路の閉鎖状態では、待機状態にある突支いアーム１２はアーム係合部材２３に係合されていないので、通路の開放に際して後締り扉１を開扉して扉閉鎖順序制御装置をリセットする場合は、該突支いアーム１２を手動でアーム係合部材２３に係合させればよい。
【図面の簡単な説明】
【００３０】
【図１】本発明の実施例に係る扉閉鎖順序制御装置において、後締り扉の閉鎖時にアーム手段に枢着された突支いアームを第一制御手段により待機状態から突支い状態に変動させる直前の要部平面図である。
【図２】図１に示す状態にある扉閉鎖順序制御装置において、突支いアームを第一制御手段により待機状態から突支い状態に変動させた直後の要部平面図である。
【図３】図２に示す状態にある扉閉鎖順序制御装置において、後締り扉の閉鎖に伴って突支いアームを第二制御手段により通路側の構造体上に停止させた時の要部平面図である。
【図４】図３に示す状態にある扉閉鎖順序制御装置において、先締り扉の閉鎖に伴って突支いアームを第二制御手段により通路側の構造体から解放する直前の要部平面図である。
【図５】図４に示す状態にある扉閉鎖順序制御装置において、先締り扉の閉鎖に伴って突支いアームを第二制御手段により通路側の構造体から解放した直後の要部平面図である。
【図６】図５に示す状態にある扉閉鎖順序制御装置において、先締り扉の閉鎖に続いて後締り扉を閉扉すると共にそれによって突支いアームを突支い状態から待機状態に変動させた時の要部平面図である。
【符号の説明】
【００３１】
１  後締り扉
２  先締り扉
５  押圧体
７  上枠
１１  アーム手段
１２  突支いアーム
１３  遥動軸
２１  第一制御手段
２２  アーム付勢部材
２３  アーム係合部材
２４  受容部材
２５  操作部材
３１  第二制御手段
３２  ストッパ
３３  受容部材
３４  操作部材
３５  ストッパ付勢部材
【図１】
2005155068.tif 000003
【図２】
2005155068.tif 000004
【図３】
2005155068.tif 000005
【図４】
2005155068.tif 000006
【図５】
2005155068.tif 000007
【図６】
2005155068.tif 000008